(57)【要約】【課題】最高の感度を得るためにセンサー部の真下に生体の所定の部位が来る様に生体を乗せた移動部を移動する。【解決手段】生体５００を身長方向に挿入可能な強磁性体で構成された筒部１００と、生体５００の所定の部位５１０から発せられる微弱磁場を計測した磁場データＢを出力するセンサー部２００と、生体５００を身長方向に搭載し筒部１００の長さ方向に挿入可能な移動部３００と、磁場データＢに基づき駆動信号Ｄを出力する制御部２２０と、駆動信号Ｄに基づき移動部３００の位置を調整する駆動部３２０と、を含み、制御部２２０は、磁場データＢが最大値となる位置に生体５００の所定の部位５１０が来るように移動部３００の位置を調整する駆動信号Ｄを出力する、ことを特徴とする生体磁場計測装置１。【選択図】図１
2011229808.tif 000002
【特許請求の範囲】
【請求項１】
生体を身長方向に挿入可能な強磁性体で構成された筒部と、
前記生体の所定の部位から発せられる微弱磁場を計測した磁場データを出力するセンサー部と、
前記生体を身長方向に搭載し前記筒部の長さ方向に挿入可能な移動部と、
前記磁場データに基づき駆動信号を出力する制御部と、
前記駆動信号に基づき前記移動部の位置を調整する駆動部と、
を含み、
前記制御部は、前記磁場データが最大値となる位置に前記生体の所定の部位が来るように前記移動部の位置を調整する前記駆動信号を出力する、
ことを特徴とする生体磁場計測装置。
【請求項２】
請求項１に記載の生体磁場計測装置において、前記センサー部は複数のセンサーから構成され、前記制御部は、前記複数のセンサーのうちの所定の１つのセンサーが計測した磁場データが最大値となる位置に前記生体の所定の部位が来るように前記移動部の位置を調整する前記駆動信号を出力する、
ことを特徴とする生体磁場計測装置。
【請求項３】
請求項１または請求項２に記載の生体磁場計測装置において、前記センサー部は、計測部に対して位置調整可能である
ことを特徴とする生体磁場測定装置。
【発明の詳細な説明】
【技術分野】
【０００１】
本発明は、生体の心臓などから発せられる生体磁場を計測する生体磁場計測装置に関する。
【背景技術】
【０００２】
地磁気に比べて微小な心臓磁場や脳磁場などを測定するための超電導量子干渉素子（ＳＱＵＩＤ；Ｓｕｐｅｒｃｏｎｄｕｃｔｉｎｇ  Ｑｕａｎｔｕｍ  ｉｎｔｅｒｆｅｒｅｎｃｅ  Ｄｅｖｉｃｅ）装置などは、建物周囲の環境磁場（磁気ノイズ）の影響を極力遮蔽する必要がある。そのため、ＳＱＵＩＤ装置などは、環境磁場から遮蔽するための透磁率の高い電磁鋼板・パーマロイ等の磁性材料板で囲まれたパッシブ（受動）磁気シールド室の中に設置する必要がある。
【０００３】
しかしながら、このようなパッシブ磁気シールド室では、一つの部屋全体を高価な磁性材料板で囲むため大掛かりな施工が必要となり、それに伴い多大な費用がかかってしまうという問題がある。
【０００４】
この問題を解決するために、例えば特許文献１には、パーマロイ等の強磁性体を筒状に形成し、この筒状の開口部内に複数のＳＱＵＩＤ磁束計を配置し、この筒状の内部で横たわる生体をＳＱＵＩＤ磁束計で検出する方法が記載されている。
【先行技術文献】
【特許文献】
【０００５】
【特許文献１】特開２００２−１３６４９２号公報（図４）
【発明の概要】
【発明が解決しようとする課題】
【０００６】
しかしながら、従来の方法では、筒状の内部に横たわる生体をＳＱＵＩＤ磁束計で検出するときに、最高の感度を得るための最適位置である、ＳＱＵＩＤ磁束計の真下に生体の所定の部位（例えば心臓など）が来たかどうかが目視では判らないため、生体を乗せた移動台を最適位置に調整することが難しいという課題がある。
【課題を解決するための手段】
【０００７】
本発明は、上記課題の少なくとも一部を解決するためになされたものであり、以下の形態または適用例として実現することが可能である。
【０００８】
［適用例１］本適用例の生体磁場計測装置は、生体を身長方向に挿入可能な強磁性体で構成された筒部と、前記生体の所定の部位から発せられる微弱磁場を計測した磁場データを出力するセンサー部と、前記生体を身長方向に搭載し前記筒部の長さ方向に挿入可能な移動部と、前記磁場データに基づき駆動信号を出力する制御部と、前記駆動信号に基づき前記移動部の位置を調整する駆動部と、を含み、前記制御部は、前記磁場データが最大値となる位置に前記生体の所定の部位が来るように前記移動部の位置を調整する前記駆動信号を出力する、ことを特徴とする。
【０００９】
この構成によれば、センサー部により生体の所定の部位（例えば心臓など）からの微弱磁場を計測した磁場データが最大値となるように移動部の位置を調整できるので、センサー部の真下に生体の所定の部位が来る様に生体を乗せた移動部を移動することができる。
【００１０】
［適用例２］上記適用例に記載の生体磁場計測装置において、前記センサー部は複数のセンサーから構成され、前記制御部は、前記複数のセンサーのうちの所定の１つのセンサーが計測した磁場データが最大値となる位置に前記生体の所定の部位が来るように前記移動部の位置を調整する前記駆動信号を出力する、ことを特徴とする。
【００１１】
この構成によれば、例えば所定の１つのセンサーをセンサー部の中心近傍に位置するセンサーとすることにより、生体の所定の部位がセンサー部の中心近傍に位置するセンサーの真下に来る様に移動部の位置を調整することができるので、生体の所定の部位全体をセンサー部で計測することができる。
【図面の簡単な説明】
【００１２】
【図１】第１実施形態に係る生体磁場計測装置の構成を示す図であり、（Ａ）は正面図、（Ｂ）は左側面図、（Ｃ）は上面図、（Ｄ）はセンサー部の概略図。
【図２】第１実施形態に係る生体磁場計測装置の動作を示す側面図。
【図３】第１実施形態に係る生体磁場計測装置の動作を示すグラフ。
【発明を実施するための形態】
【００１３】
以下、生体磁場計測装置の実施形態について図面を用いて説明する。
【００１４】
（第１実施形態）
＜生体磁場計測装置の構成＞
先ず、第１実施形態に係る生体磁場計測装置の構成について、図１を参照して説明する。図１（Ａ）は、第１実施形態に係る生体磁場計測装置の構成を示す正面図、図１（Ｂ）は、生体磁場計測装置の構成を示す左側面図、図１（Ｃ）は、生体磁場計測装置の構成を示す上面図、図１（Ｄ）は、生体磁場計測装置のセンサー部の構成を示す概略図、である。
【００１５】
図１（Ａ）〜（Ｃ）に示すように、生体磁場計測装置１は、筒部１００と、センサー部２００と、移動部３００と、端部３１１と、棒３１０と、制御部２２０と、駆動部３２０と、から構成されている。
【００１６】
筒部１００は、例えば、強磁性体のパーマロイなどの薄い板を円筒または中空の多面体柱（四角柱、六角柱、八角柱など）に加工して形成され、筒部１００の内部を周囲の外乱磁場から遮蔽する役割を担っている。図１では、筒部１００は円筒で構成されている。ここで、筒部１００の長さ方向をＹ軸、筒部１００の高さ方向をＺ軸、筒部１００の幅方向をＸ軸とし、Ｘ軸とＹ軸とＺ軸との交点を筒部１００の長さ方向の真ん中で、Ｚ軸方向に縦割りした断面の円の中心と定義する。筒部１００は、生体５００（本実施形態では人体を例に説明する。）を身長方向に挿入可能である十分に大きな空間を内部に有している。
【００１７】
センサー部２００は、ＳＱＵＩＤ磁束計や光ポンピング磁束計などで構成されており、筒部１００のＺ軸上かつ生体５００の所定の部位としての心臓５１０がある胸部よりも高さ方向で上になるように配置されている。なお、図１ではセンサー部２００の固定方法は図示していない。また特許文献１にも示すように、ＳＱＵＩＤ磁束計においては、高さ方向が筒部１００内に収まらない場合、筒部１００のＺ軸と交わる上面に開口部を必要とするが、図１には開口部を図示していない。
【００１８】
センサー部２００は、図１（Ｄ）に示すように複数のセンサー２０１から構成されている。図１（Ｄ）では、センサー部２００は、５行５列の２５個のセンサー２０１で構成した場合を例示している。また、所定の１つのセンサーとしてのセンサー２０２は、センサー部２００の中心である３行３列目に位置する。
【００１９】
制御部２２０は、センサー部２００と信号線２１０を介して接続され、センサー部２００が計測した磁場データＢを取得し、駆動信号Ｄを出力する。
【００２０】
移動部３００は、生体５００を身長方向に搭載可能である十分な面積の台を有し、筒部１００のＹ軸方向に挿入可能なように構成されている。なお、本実施形態では、説明の簡略化のためにＹ軸方向のみ稼動可能な場合について説明するが、Ｘ軸方向、Ｚ軸方向にも稼動可能に構成することもできる。
【００２１】
移動部３００には、例えば、ねじ切りされた棒３１０がＹ軸方向に挿入されており、棒３１０は駆動部３２０と端部３１１との間に渡されている。
【００２２】
駆動部３２０は、制御部２２０が出力する駆動信号Ｄに基づいて、棒３１０を回転し、棒３１０に切られたねじにより移動部３００を移動させ位置を調整する。移動部３００の位置を調整する他の方法として、例えば、油圧方式で移動させるなどの方法が考えられるが、ここでは詳細な説明は省略する。
【００２３】
＜生体磁場計測装置の動作＞
次に、第１実施形態に係る生体磁場計測装置の動作について、図２、３を参照して説明する。図２は、第１実施形態に係る生体磁場計測装置の動作を示す側面図である。図３は、第１実施形態に係る生体磁場計測装置の動作を示すグラフである。
【００２４】
図２（Ａ）は、移動部３００が筒部１００の外にあり、生体５００が搭乗可能な状態を示す。この時、図３（Ａ）に示すようにセンサー部２００から出力される磁場データＢは値ｂ１を保っている。
【００２５】
次に、図２（Ｂ）は、移動部３００をＹ軸方向に移動させて筒部１００の中に入り、Ｚ軸近くに生体５００の心臓５１０が来た状態を示す。この時、図３（Ｂ）に示すようにセンサー部２００から出力される磁場データＢは値ｂ２に達する。
【００２６】
さらに、移動部３００を筒部１００のＹ軸方向に移動させていくと、図２（Ｃ）に示すように心臓５１０がＺ軸と重なる位置（センサー部２００の中心の真下）に来ると、図３（Ｃ）に示すようにセンサー部２００から出力される磁場データＢは値ｂ３の最大値に達する。
【００２７】
さらに、移動部３００を筒部１００のＹ軸方向に移動させていくと、心臓５１０がＺ軸と重なる位置から離れ、磁場データＢは値ｂ３よりも下がっていく。そこで、制御部２２０は、磁場データＢが値ｂ３の最大値に達した図２（Ｃ）の位置まで戻るように駆動信号Ｄを駆動部３２０に出力する。
【００２８】
＜複数のセンサーで構成された生体磁場計測装置の動作＞
ここで、第１実施形態に係る生体磁場計測装置のセンサー部が複数のセンサーで構成されている場合の動作について説明する。
【００２９】
本実施形態の生体磁場計測装置１において、センサー部２００を構成する複数のセンサー２０１のうちの所定の１つのセンサーであるセンサー２０２は、計測した磁場データＢを駆動制御部２２０に出力する。
【００３０】
駆動制御部２２０は、磁場データＢを取得し、駆動信号Ｄを駆動部３２０に出力する。
【００３１】
駆動部３２０は、出力された駆動信号Ｄに基づき、センサー２０２が計測した磁場データＢが最大値となる位置に、生体５００の所定の部位としての心臓５１０が来るように移動部３００の位置を調整する。
【００３２】
以上に述べた本実施形態によれば、以下の効果が得られる。
【００３３】
本実施形態では、センサー部２００により生体５００の所定の部位（例えば心臓５１０など）からの微弱磁場を計測した磁場データＢが最大値となるように制御部２２０が移動部３００の位置を調整する。そのため、最高の感度が得られるセンサー部２００の真下に生体５００の心臓５１０が来る様に生体５００を乗せた移動部３００を移動することができる。
【００３４】
また、所定の１つのセンサー２０２をセンサー部２００の中心近傍に位置することにより、生体５００の心臓５１０がセンサー部２００の中心近傍の真下に来る様に移動部３００の位置を調整することができる。よって、生体５００の心臓５１０全体をセンサー部２００で計測することができる。
【００３５】
以上、生体磁場計測装置の実施形態を説明したが、こうした実施の形態に何ら限定されるものではなく、趣旨を逸脱しない範囲内において様々な形態で実施し得ることができる。以下、変形例を挙げて説明する。
【００３６】
（変形例１）
生体磁場計測装置の変形例１について説明する。上記第１実施形態では、移動部３００の位置を調整してセンサー部２００の中心に心臓５１０が来るように説明したが、センサー部２００の位置を調整するようにしてもよい。
【符号の説明】
【００３７】
１…生体磁場計測装置、１００…円部、２００…センサー部、２０１，２０２…センサー、２１０…信号線、２２０…制御部、３００…移動部、３１０…棒、３１１…端部、３２０…駆動部、５００…生体、５１０…心臓。
【図１】
2011229808.tif 000003
【図２】
2011229808.tif 000004
【図３】
2011229808.tif 000005